(57)【要約】【課題】比較的簡潔な構成で、杭体との連結および解除を確実にすることが容易にできるようにする。【解決手段】杭体の打設に用いられるヤットコ１００は、ヤットコ本体１０１の側部に回動可能に設けられ、杭体２００に設けられた被係合部材２０１の貫通孔２０１ａに係合可能なフック部１２１ａを有する係合部材１２１と、ヤットコ本体１０１の長手方向に沿って設けられ、上記長手方向の移動により上記係合部材１２１を回動させて、上記被係合部材２０１との係合を解除するロッド１３１と、を備える。【選択図】図１
2019100141.tif 000002
【特許請求の範囲】
【請求項１】
杭体に連結可能なヤットコであって、
円筒状のヤットコ本体の一端側外周面に回動可能に設けられ、杭体に取り付けられた被係合部材の貫通孔に係合可能なフック部を有する係合部材と、
前記係合部材に連結され、且つ前記ヤットコ本体の外周面側方に長手方向に沿って設けられており、前記長手方向へ移動可能な棒状のロッドと、
を備え、
前記ロッドを前記長手方向へ移動させることにより前記係合部材を回動させて、前記フック部を前記被係合部材と係合させ又は係合を解除することを特徴とするヤットコ。
【請求項２】
請求項１のヤットコであって、
前記ロッドの前記長手方向の少なくとも一方向の移動距離を規制する規制部が、前記ヤットコ本体の外周面側方における前記ロッドに沿った位置に設けられていることを特徴とするヤットコ。
【請求項３】
請求項２のヤットコであって、
前記ロッドは、長手方向の一部が他部よりも大径の大径部を有し、
前記ヤットコ本体は、前記大径部よりも前記ヤットコ本体の他端側に位置し、前記ロッドを前記ヤットコ本体の外周面から所定の距離だけ離間した位置に保持するとともに前記長手方向に移動可能に案内するガイド部材を有し、
前記ロッドの大径部と前記ガイド部材との間に、両者間の前記長手方向の距離を所定の距離以上に保つロッド移動規制部材が取り付けられることにより、前記被係合部材と前記フック部との係合状態を保持することを特徴とするヤットコ。
【請求項４】
請求項２のヤットコであって、
前記ロッドは、長手方向の一部が他部よりも大径の大径部を有し、
前記ヤットコ本体は、前記大径部よりも前記ヤットコ本体の一端側に位置し、前記ロッドを前記ヤットコ本体の外周面から所定の距離だけ離間した位置に保持するとともに前記長手方向に移動可能に案内するガイド部材を有し、
前記ロッドの大径部と前記ガイド部材との間に、両者間の前記長手方向の距離を所定の距離以上に保つロッド移動規制部材が取り付けられることにより、前記被係合部材と前記フック部との係合が解除された状態を保持することを特徴とするヤットコ。
【請求項５】
請求項１から請求項４のうち何れか１項のヤットコであって、
前記フック部は、被係合部材と係合した状態で、根本部の上面よりも先端部の上面の方がヤットコ本体の他端側に位置する形状を有していることを特徴とするヤットコ。
【請求項６】
請求項１から請求項５のうち何れか１項のヤットコであって、
前記フック部は、被係合部材の貫通孔に係合した状態で、前記貫通孔の内面と面接触可能な形状を有していることを特徴とするヤットコ。
【請求項７】
請求項１から請求項６のうち何れか１項のヤットコであって、
前記ヤットコ本体は、一端部と他端部との間に中継部を介在させることによって全長を可変に構成されるとともに、
前記ロッドは、一端部と他端部との間に前記中継部と対応する長さを有する中継部を介在させることによって、前記ヤットコ本体の全長に対応した長さに設定可能に構成されていることを特徴とするヤットコ。
【請求項８】
請求項１のヤットコに連結可能な杭体であって、
前記ヤットコのフック部に係合可能な貫通孔を有する被係合部材を備えたことを特徴とする杭体。
【請求項９】
請求項８の杭体であって、
前記貫通孔は、前記フック部の挿入方向に沿って、杭体における上方向に傾斜していることを特徴とする杭体。
【請求項１０】
請求項８の杭体であって、
前記被係合部材は、前記ヤットコの係合部材との係合状態の時に、貫通孔とフック部の表面とが面接触可能に形成されていることを特徴とする杭体。
【請求項１１】
請求項１のヤットコを用いた杭体の施工方法であって、
前記杭体に設けられた被係合部材に前記係合部材のフック部を係合させた状態で、前記杭体およびヤットコを地盤に形成された孔内に下降させる工程と、
前記ロッドの前記長手方向の移動により前記係合部材を回動させて、前記フック部と前記被係合部材との係合を解除する工程と、
前記係合が解除されたヤットコのみを上昇させる行程と、
を有することを特徴とするヤットコを用いた杭体の施工方法。
【請求項１２】
請求項１１のヤットコを用いた杭体の施工方法であって、
前記ロッドの移動を規制することにより前記被係合部材と係合部材との係合状態が解除されるのが抑制された状態で、ヤットコを下降させるとともに、
前記ロッドの移動を規制することにより前記被係合部材と係合部材との係合が解除された状態から係合状態になるのが抑制された状態で、ヤットコを上昇させることを特徴とするヤットコを用いた杭体の施工方法。
【請求項１３】
請求項１１および請求項１２のうち何れか１項のヤットコを用いた杭体の施工方法であって、
前記杭体の上部に前記ヤットコが付き合わされた状態で、前記杭体に前記被係合部材が取り付けられることを特徴とするヤットコを用いた杭体の施工方法。
【発明の詳細な説明】
【技術分野】
【０００１】
本発明は、ヤットコ、杭体、およびヤットコを用いた杭体の施工方法に関するものである。
【背景技術】
【０００２】
地盤に形成された孔内に杭体を設置する際に上記杭体に連結されるヤットコは、杭体が所定の深さに設置された後、杭体との連結を解除されて孔内から引き上げられる。ヤットコとして、杭体の上部に設けられたボルトに係合可能で、ヤットコの本体部に対して回動可能な回動盤と、上記回動盤を回動させて上記ボルトとの係合を解除する解除部とを有する構成が知られている。また、上記回動盤が設けられていない構成として、杭体の上部に設けられたボルトの軸部を挟持可能な係合部材と、上記ボルトと係合部材との係合を解除する回転部材とを有する構成が知られている（例えば、特許文献１参照。）。
【先行技術文献】
【特許文献】
【０００３】
【特許文献１】特開２００２−１６１５３５号公報
【発明の概要】
【発明が解決しようとする課題】
【０００４】
杭体の上部に設けられたボルトに回動盤や係合部材を係合させる構成では、杭体とヤットコとを確実に連結するためには、実際上、４本以上の多数のボルトを用いることが必要となる。また、ボルトとの係合によって杭体とヤットコとを連結するために、回動盤と解除部や、係合部材と回転部材などの構成要素を有する複雑な構成とされる必要があり、それゆえ、地中に埋設させた状態で確実に係合を解除可能にすることは必ずしも容易ではない。
【０００５】
本発明は、上記の点に鑑み、簡素な構成で、杭体との連結および解除を確実に行うことができるヤットコ等を提供することを目的としている。
【課題を解決するための手段】
【０００６】
上記の目的を達成するため、
第１の発明は、
杭体に連結可能なヤットコであって、
円筒状のヤットコ本体の一端側外周面に回動可能に設けられ、杭体に取り付けられた被係合部材の貫通孔に係合可能なフック部を有する係合部材と、
前記係合部材に連結され、且つ前記ヤットコ本体の外周面側方に長手方向に沿って設けられており、前記長手方向へ移動可能な棒状のロッドと、
を備え、
前記ロッドを前記長手方向へ移動させることにより前記係合部材を回動させて、前記フック部を前記被係合部材と係合させ又は係合を解除することを特徴とする。
【０００７】
上記構成により、ロッドをヤットコ本体の一端部側に移動させることによりフック部を回動させて被係合部材に当該フック部を係合させることができる。また、ロッドをヤットコの他端部側に移動させることにより、フック部を回動させて被係合部材と当該フック部との係合を解除することができる。
【０００８】
本発明のヤットコは、ヤットコ本体、係合部材及びロッドのみからなるため簡素な構成にすることができる。また、棒状のロッドを長手方向に移動させるだけで係合部材を回動させることができるのでヤットコと杭体との連結及び解除を確実に行うことができる。
【０００９】
第２の発明は、
第１の発明のヤットコであって、
前記ロッドの前記長手方向の少なくとも一方向の移動距離を規制する規制部が、前記ヤットコ本体の外周面側方における前記ロッドに沿った位置に設けられていることを特徴とする。
【００１０】
これにより、ロッドの長手方向の移動が規制されて係合部材が係合位置または係合解除位置に確実に保たれることによって、係合部材の誤動作を防ぎ、係合が解除されてしまうことによる杭体の沈下を防止したり、ヤットコを引き上げる際に係合解除状態が保たれるようにして杭体を確実に埋設状態にしたりすることが容易にできる。
【００１１】
また、第３の発明は、
第２の発明のヤットコであって、
前記ロッドは、長手方向の一部が他部よりも大径の大径部を有し、
前記ヤットコ本体は、前記大径部よりも前記ヤットコ本体の他端側に位置し、前記ロッドを前記ヤットコ本体の外周面から所定の距離だけ離間した位置に保持するとともに前記長手方向に移動可能に案内するガイド部材を有し、
前記ロッドの大径部と前記ガイド部材との間に、両者間の前記長手方向の距離を所定の距離以上に保つロッド移動規制部材が取り付けられることにより、前記被係合部材と前記フック部との係合状態を保持することを特徴とする。
【００１２】
上記構成では大径部がガイド部材に当接すると、それ以上のロッドの移動が規制される。また、移動規制部材が大径部とガイド部材との間に取り付けられると両者の距離が所定の距離以上に保持され、係合状態が確実に保持されることにより、係合部材の誤動作を防ぎ、杭体の沈下を防止することが容易にできる。
【００１３】
また、第４の発明は、
第２の発明のヤットコであって、
前記ロッドは、長手方向の一部が他部よりも大径の大径部を有し、
前記ヤットコ本体は、前記大径部よりも前記ヤットコ本体の一端側に位置し、前記ロッドを前記ヤットコ本体の外周面から所定の距離だけ離間した位置に保持するとともに前記長手方向に移動可能に案内するガイド部材を有し、
前記ロッドの大径部と前記ガイド部材との間に、両者間の前記長手方向の距離を所定の距離以上に保つロッド移動規制部材が取り付けられることにより、前記被係合部材と前記フック部との係合が解除された状態を保持することを特徴とする。
【００１４】
これにより、係合部材の誤動作を防ぎ、ヤットコを引き上げる際に杭体を確実に埋設状態にすることが容易にできる。また、上記構成ではロッドがヤットコ本体の外周面から所定の距離だけ離間した位置で保持されているため被係合部材とフック部との係合を解除する際にヤットコの外周面に干渉することなく係合を解除できる。
【００１５】
第５の発明は、
第１の発明から第４の発明のうち何れか１つのヤットコであって、
前記フック部は、被係合部材と係合した状態で、根本部の上面よりも先端部の上面の方がヤットコ本体の他端側に位置する形状を有していることを特徴とする。
【００１６】
上記構成により根本部の上面よりも先端部の上面の方がヤットコ本体の他端側に位置する形状で係合できるため杭体が回転若しくはヤットコを回転させた際に係合が解除されてしまうことを防ぐことができ、フック部と貫通孔との係合を強固にさせることが容易にできる。
【００１７】
第６の発明は、
第１の発明から第５の発明のうち何れか１つのヤットコであって、
前記フック部は、被係合部材の貫通孔に係合した状態で、前記貫通孔の内面と面接触可能な形状を有していることを特徴とする。
【００１８】
上記構成では貫通孔の内面とフック部が面接触した状態で係合するので広い面積で接触して強固な係合となる。また、係合部材や被係合部材における、ヤットコ本体の半径方向の寸法を小さく抑え、ヤットコの埋設や引き上げ時の抵抗を小さく抑え得るようにすることが容易にできる。
【００１９】
第７の発明は、
第１の発明から第６の発明のうち何れか１つのヤットコであって、
前記ヤットコ本体は、一端部と他端部との間に中継部を介在させることによって全長を可変に構成されるとともに、
前記ロッドは、一端部と他端部との間に前記中継部と対応する長さを有する中継部を介在させることによって、前記ヤットコ本体の全長に対応した長さに設定可能に構成されていることを特徴とする。
【００２０】
これにより、施工条件等に応じてヤットコの全長を可変に設定することが容易にできる。
【００２１】
第８の発明は、
第１の発明のヤットコに連結可能な杭体であって、
前記ヤットコのフック部に係合可能な貫通孔を有する被係合部材を備えたことを特徴とする。
【００２２】
上記構成では係合状態ではフック部は杭体における上方向に傾斜している貫通孔に挿入されるため係合した状態において回転しても係合が解除されることはないようにして、上記第１の発明について説明したのと同様に、比較的簡潔な構成で、ヤットコと杭体との連結および連結解除を確実にすることが容易にできる。
【００２３】
第９の発明は、
第８の発明の杭体であって、
前記貫通孔は、前記フック部の挿入方向に沿って、杭体における上方向に傾斜していることを特徴とする。
【００２４】
これにより、フック部と貫通孔との係合を強固にさせることが容易にできる。
【００２５】
第１０の発明は、
第８の発明の杭体であって、
前記被係合部材は、前記ヤットコの係合部材との係合状態の時に、貫通孔とフック部の表面とが面接触可能に形成されていることを特徴とする。
【００２６】
これにより、係合部材や被係合部材における、ヤットコ本体の半径方向の寸法を小さく抑え、ヤットコの埋設や引き上げ時の抵抗を小さく抑え得るようにすることが容易にできる。
【００２７】
第１１の発明は、
第１の発明のヤットコを用いた杭体の施工方法であって、
前記杭体に設けられた被係合部材に前記係合部材のフック部を係合させた状態で、前記杭体およびヤットコを地盤に形成された孔内に下降させる工程と、
前記ロッドの前記長手方向の移動により前記係合部材を回動させて、前記フック部と前記被係合部材との係合を解除する工程と、
前記係合が解除されたヤットコのみを上昇させる行程と、
を有することを特徴とする。
【００２８】
これにより、やはり、上記第１の発明について説明したのと同様に、ヤットコと杭体との連結および連結解除を確実にすることが容易にできる。すなわち例えば、上記構成では係合状態が解除されるのが抑制された状態で、ヤットコを下降させヤットコに連結した杭体の埋設作業ができる。
【００２９】
また、第１２の発明は、
第１１の発明のヤットコを用いた杭体の施工方法であって、
前記ロッドの移動を規制することにより前記被係合部材と係合部材との係合状態が解除されるのが抑制された状態で、ヤットコを下降させるとともに、
前記ロッドの移動を規制することにより前記被係合部材と係合部材との係合が解除された状態から係合状態になるのが抑制された状態で、ヤットコを上昇させることを特徴とする。
【００３０】
これにより、やはり、上記第１の発明について説明したのと同様に、ヤットコと杭体との連結および連結解除を確実にすることが容易にできる。
【００３１】
第１３の発明は、
第１１の発明および第１２の発明のうち何れか１つのヤットコを用いた杭体の施工方法であって、
前記杭体の上部に前記ヤットコが付き合わされた状態で、前記杭体に前記被係合部材が取り付けられることを特徴とする。
【００３２】
上記構成ではヤットコと杭体がつき合わされた状態で被係合部材を取り付けるためフック部が被係合部材に確実に係合される位置に被係合部材を取り付けることができ、ヤットコと杭体との連結および連結解除を確実にすることが容易にできる。
【発明の効果】
【００３３】
本発明によれば、簡素な構成で、杭体との連結および解除を確実に行うことが可能なヤットコ等を提供できる。
【図面の簡単な説明】
【００３４】
【図１】ヤットコと杭体とを連結した状態を示す全体図である。
【図２】ヤットコと杭体の連結部分を拡大して示す正面図である。
【図３】ヤットコの下端部の構成を示す横断面図である。
【図４】ロッドの固定的な連結構成を示す縦断面図である。
【図５】ヤットコの上端部の構成を示す斜視図である。
【図６】ロッドの上方移動状態を示す斜視図である。
【図７】ロッドの脱着可能な連結構成を示す縦断面図である。
【発明を実施するための形態】
【００３５】
以下、本発明の実施形態を図面に基づいて詳細に説明する。
【００３６】
（ヤットコの構成）
図１、および図２に示すように、ヤットコ１００は、ヤットコ本体１０１の下部に芯出板１０２を有し、杭体２００の上部に、中心軸を一致させた状態で配置し得るようになっている。ここで、芯出板１０２の周方向の位置は、図１および図２においては便宜上紙面に平行な位置に描いているが、他の構成要素との干渉を生じない位置であれば特に限定されず、例えば同図とは４５°回転させた位置に４枚設けられるなどされる。
【００３７】
ヤットコ本体１０１の下部側面には、また、図３に示すように、回動軸１１１が凸設され、ワッシャ１１２、およびナット１１３によって、係合部材１２１が回動自在に設けられている。上記係合部材１２１は、杭体２００の上端部に設けられた被係合部材２０１の貫通孔２０１ａに係合するフック部１２１ａを有している。上記のような係合部材１２１および被係合部材２０１等は、例えばヤットコ本体１０１の中心軸に回転対称に２組設けられている。なお、２組に限らず、３組以上設けられてもよい。
【００３８】
上記フック部１２１ａは、より詳しくは、被係合部材２０１との係合状態の位置で、根本部１２１ｃの上面１２１ｄよりも先端部１２１ｅの上面１２１ｆの方がヤットコ１００における上方向に位置する形状を有している。より好ましくは、上記フック部１２１ａは、被係合部材２０１との係合状態の位置で、被係合部材２０１の貫通孔２０１ａの内面と面接触など、比較的広い面積で接触可能な形状を有している。また、係合部材１２１は、回動する際に、最下端位置が常にヤットコ本体１０１の下面よりも上方に位置するように形成され、杭体２００の上面との干渉が防止されるようになっている。
【００３９】
ヤットコ本体１０１の側面には、また、ヤットコ本体１０１の長手方向に沿って、ロッドガイド１４２（ガイド部材）によりヤットコ本体１０１の外周面から所定の距離だけ離間した位置に保持されて上下方向に移動可能に案内されるロッド１３１が設けられている。ロッド１３１の下端部には、ヨーク１３２が設けられている。上記ヨーク１３２と、係合部材１２１のロッド連結部１２１ｇとは、ピン孔１３２ａ・１２１ｂ、連結ピン１４１、および図示しないコッターピンによって連結され、ロッド１３１の上下方向の移動により、係合部材１２１が回動軸１１１回りに回動して、係合部材１２１と被係合部材２０１とが、係合、および係合解除されるようになっている。
【００４０】
上記ロッド１３１は、全長に亘って一体的に形成されてもよいが、例えば、図４に示すように、凸部１３１ａを有する部材と凹部１３１ｂを有する部材とが溶接部１３１ｃにより溶接されて構成されている。このように構成されていることによって、ロッド１３１の一部が損傷した場合などに、全体を交換せずに、部分的に補修することができ、メインテナンスコストを低減することが容易になる。
【００４１】
ヤットコ本体１０１の上部には、図５に示すように、上端フランジ１０３が形成されるとともに、側面にロッド１３１の上部を上下方向に移動可能に案内する２つのロッドガイド１４２が設けられている。一方、ロッド１３１には、上部に頂部リング１３４が設けられるとともに、上記２つのロッドガイド１４２の間の位置に、大径部１３３が設けられている。そこで、上記大径部１３３と、上方側のロッドガイド１４２との間にロッド移動規制部材１４３が取り付けられることにより、ロッド１３１の上方向への移動が規制され、被係合部材２０１と係合部材１２１との係合状態が解除されるのを抑制し得るようになっている。また、図６に示すように、上記大径部１３３と、下方側のロッドガイド１４２との間にロッド移動規制部材１４３が取り付けられることにより、ロッド１３１の下方向への移動が規制され、被係合部材２０１と係合部材１２１とが係合状態になるのを抑制し得るようになっている。すなわち、上記ロッドガイド１４２、大径部１３３、およびロッド移動規制部材１４３によって、ロッド１３１の上下方向の少なくとも一方向の移動を規制する規制部が構成されている。
【００４２】
（ヤットコを用いた杭体の施工方法）
上記のようなヤットコ１００を用いた杭体２００の打設は、例えば次のようにして行われる。
【００４３】
（１）まず、杭体２００の上部にヤットコ１００を同軸上に載置する。
【００４４】
（２）ロッド１３１を下方に移動させ、係合部材１２１を所定の係合状態の位置にさせる。具体的には、図５に示すように、ロッド１３１の大径部１３３の上方にロッド移動規制部材１４３を取り付け、ロッド１３１の上方移動が規制されるようにする。
【００４５】
（３）上記の状態で杭体２００の上部に被係合部材２０１を載置し、係合部材１２１のフック部１２１ａに貫通孔２０１ａが係合するように位置決めして、被係合部材２０１を杭体２００に溶接等により取り付ける。これにより、ヤットコ１００と杭体２００とが連結された状態となる。なお、被係合部材２０１はあらかじめ杭体２００に溶接等により取り付けるようにしてもよいが、上記のようにいわゆる現物合わせして取り付けることにより、貫通孔２０１ａとフック部１２１ａの表面とが面接触等し得るようにすることが容易に可能になる。
【００４６】
（４）上記杭体２００およびヤットコ１００を下降させて、杭体２００を埋設する。
【００４７】
（５）ロッド１３１を上方に移動させ、係合部材１２１と被係合部材２０１との係合を解除する。具体的には、図６に示すように、ロッド１３１を上方に引き上げ、ロッド１３１の大径部１３３の下方にロッド移動規制部材１４３を取り付けて、ロッド１３１の下方移動が規制されるようにする。これにより、係合部材１２１と被係合部材２０１とが係合状態になることが確実に抑制される。
【００４８】
（６）上記係合が解除されたヤットコ１００を上方に引き上げる。このとき、上記のように係合部材１２１と被係合部材２０１とが係合状態になることが確実に抑制されるので、杭体２００を埋設状態に確実に保ったまま、ヤットコ１００だけを引き上げることが容易に可能になる。
【００４９】
上記のように、ロッド１３１の上下動によって回動する係合部材１２１のフック部１２１ａと被係合部材２０１の貫通孔２０１ａとの係合、および係合解除によってヤットコ１００と杭体２００との連結および連結解除をすることにより、比較的簡潔な構成で、上記連結および連結解除を確実にすることが容易にできる。
【００５０】
しかも、上記のような係合は、ボルトの螺号や、ボルトの頭部と係合部材との係合等に比べて、強固な係合をさせることが容易にできるので、係合部材等の数を少なく設定することも容易にでき、一層構成の簡素化を図ることも容易にできる。
【００５１】
特に、フック部１２１ａが、被係合部材２０１の貫通孔２０１ａとの係合状態の位置で、根本部の上面よりも先端部の上面の方が上方向に位置する形状を有していることにより、一層強固な係合をさせることが容易にできる。
【００５２】
また、フック部１２１ａと貫通孔２０１ａとが面接触等可能に構成されていることにより、係合部材１２１や被係合部材２０１における、ヤットコ本体１０１の半径方向の寸法を小さく抑えることが比較的容易になるので、ヤットコ１００の埋設や引き上げ時の抵抗を小さく抑えることも容易にできる。
【００５３】
また、ロッド１３１の上下移動により係合部材１２１と被係合部材２０１とが係合状態、または係合解除状態にされるので、係合部材１２１および被係合部材２０１が地中にある場合でも、ロッド１３１の上下動位置によって、上記係合状態、または係合解除状態にあることを容易に確認することができる。
【００５４】
また、ロッドガイド１４２、ロッド１３１の大径部１３３、およびロッド移動規制部材１４３等によって、ロッド１３１の上下方向の少なくとも一方向の移動が規制されることにより、係合部材１２１の誤動作を防ぎ、杭体２００の沈下を防止したり、ヤットコ１００を引き上げる際に杭体２００を確実に埋設状態にしたりすることが、容易にできる。
【００５５】
ヤットコ１００におけるヤットコ本体１０１は、全長に亘って一体的に形成されるのに限らず、上下方向の中間部に中継部を介在させることによって、施工条件に応じて全長を可変にし得るようにしてもよい。その場合、ロッド１３１も、例えば、図７に示すようにピン孔１３５ｂを有する連結筒部材１３５が溶接部１３５ａによって溶接された上部と、ピン孔１３１ｄが形成された下部とが連結ピン１３６および図示しないコッターピンによって連結され得るように構成し、上記上部と下部との間に中継部を介在させることによって、ヤットコ本体１０１の全長に対応した長さに設定できるようにしてもよい。
【００５６】
また、係合部材１２１が複数設けられる場合、それぞれを係合状態または係合解除状態にするための回動方向は、互いに同一にしてもよいし、異なるようにしてもよい。例えば、ヤットコ本体１０１の直径方向両側に１組ずつの係合部材１２１および被係合部材２０１等が設けられる場合、係合状態にするための係合部材１２１の回動方向が同一（例えばともに時計回り）である場合には、比較的係合解除しやすいことがある。一方、係合状態にするための係合部材１２１の回動方向が互いに異なる（例えば一方が時計回りで他方は反時計回り）である場合には、比較的係合解除されにくいことがある。そこで、例えば前者のようなヤットコ１００は地盤が比較的固い条件で用いる一方、後者のようなヤットコ１００は地盤が比較的軟弱な条件で用いるようにするなど、使い分けるようにしてもよい。
【符号の説明】
【００５７】
１００      ヤットコ
１０１      ヤットコ本体
１０２      芯出板
１０３      上端フランジ
１１１      回動軸
１１２      ワッシャ
１１３      ナット
１２１      係合部材
１２１ａ    フック部
１２１ｂ    ピン孔
１２１ｃ    根本部
１２１ｄ    上面
１２１ｅ    先端部
１２１ｆ    上面
１２１ｇ    ロッド連結部
１３１      ロッド
１３１ａ    凸部
１３１ｂ    凹部
１３１ｃ    溶接部
１３１ｄ    ピン孔
１３２      ヨーク
１３２ａ    ピン孔
１３３      大径部
１３４      頂部リング
１３５      連結筒部材
１３５ａ    溶接部
１３５ｂ    ピン孔
１３６      連結ピン
１４１      連結ピン
１４２      ロッドガイド
１４３      ロッド移動規制部材
２００      杭体
２０１      被係合部材
２０１ａ    貫通孔
【図１】
2019100141.tif 000003
【図２】
2019100141.tif 000004
【図３】
2019100141.tif 000005
【図４】
2019100141.tif 000006
【図５】
2019100141.tif 000007
【図６】
2019100141.tif 000008
【図７】
2019100141.tif 000009